(57)【特許請求の範囲】
【請求項１】
複数の操作スイッチ用の固定接点を上面に有すると共に、信号発生用の回路部および電池接続用の電極部を備えた硬質の絶縁材料製の配線基板と、この配線基板上に重ねて配され、上記複数の固定接点に対応した位置に操作スイッチ用のキートップが上方に突出して設けられ、その下方が薄肉のドーム部で平板部に繋がっていると共に、ドーム部の内側天面に上記固定接点に対向した可動接点を有する弾性絶縁材料製の弾性接点体と、上記配線基板を下方から支持包囲し、下面に蓋板付きの電池収容部を備えた樹脂製の下ケースと、上記弾性接点体の上部に重ねて配され、上記操作スイッチ用のキートップを通す複数個のキー孔を有すると共に、上面に各キーの機能等を印刷表示した平板状で硬質の樹脂板あるいは金属板製のパネル部と、このパネル部の外周を上方から押さえ付ける枠体部および周囲の側壁部から形成され、上記下ケースとネジ止めされることによって上記の各構成部材を収容固定する樹脂製の上ケースからなり、上記弾性接点体を高分子材料にて形成し、上記キートップ下方のドーム部周囲の上記平板部をドーム部の高さよりも厚肉にしてその上面を上記パネル部の下面に当接させ、上記パネル部と上記配線基板とによって挟持させると共に、上記キートップ下方のドーム部が上記平板部上面より沈んだ位置に繋がるように配設したリモートコントロール送信器。
【請求項２】
下ケースの底面内側に配線基板の下面を支持する複数の支持ボスを設けた請求項１記載のリモートコントロール送信器。
【請求項３】
上ケースの周囲の側壁部の下端外周の段部に下ケースの外周全体の側壁の上端部が外方から係合して、上、下ケースを組合わせ固定させる請求項１または２記載のリモートコントロール送信器。
【請求項４】
上ケースの側壁部の内側上方に複数のフック状の爪部を設けて、平板状のパネル部の周囲の端部を係合固定させる請求項１〜３のいずれか一つに記載のリモートコントロール送信器。
【請求項５】
パネル部の下面略中央に、弾性接点体と配線基板を貫通して下方へ突出して下ケースに当接するボスを設け、下ケース底面の対応する位置に設けたネジ孔を通してネジ止めする請求項１〜４のいずれか一つに記載のリモートコントロール送信器。
【発明の詳細な説明】
【０００１】
【発明の属する技術分野】
本発明は、各種電子機器に使用されるリモートコントロール送信器に関するものである。
【０００２】
【従来の技術】
従来のこの種のリモートコントロール送信器について図面を用いて説明する。図１０は従来のリモートコントロール送信器の側面断面図、図１１は同分解斜視図であり、同図において１は硬質の絶縁材料からなる配線基板で、その上面に複数の操作スイッチ用の固定接点１Ａと電子回路（図示せず）が配設されると共に、下面には電池７を収容接続するための電極１Ｂと赤外線信号を発生するＬＥＤ１Ｃが装着されている。
【０００３】
この配線基板１の上に重ねて載せられた２は弾性絶縁材料からなる平板状の弾性接点体で、その上面の上記の複数の固定接点１Ａに対応した位置に、リモートコントロール送信器の操作キー２Ａ用のキートップ２Ｂが上方へ突出して設けられ、各キートップ２Ｂの下方は薄肉のドーム部２Ｃで平板部２Ｄに繋がっていると共に、その内側天面には各固定接点１Ａに対向した可動接点２Ｅが設けられている。
【０００４】
そして、３および４は上記の配線基板１および弾性接点体２を包囲収容する樹脂製の下ケースおよび上ケースであり、下ケース３は下面に電池７収容用の開口部３Ａと両端のネジ孔３Ｂを有すると共に、内底面に複数のボス３Ｃが配設されて配線基板１を支持している。
【０００５】
また、上ケース４には上記弾性接点体２の複数のキートップ２Ｂを通すためのキー孔４Ａを有し、その周囲下部の板状のリブ４Ｂが弾性接点体２の各キートップ２Ｂ下方のドーム部２Ｃの周囲の平板部２Ｄを配線基板１に押し付けていると共に、両端の下方にネジ孔４Ｃ付きの円柱形の締め付けボス４Ｄが設けられ、下ケース３の両端のネジ孔３Ｂに通されたネジ６を締め付けることによって、下ケース３と上ケース４が固定されている。
【０００６】
なお、３Ｄは電池７を収容後に下ケース３の開口部３Ａを塞ぐ蓋板である。
そして、上ケース４の上面には表示シート８が貼り付けられており、その上面はこのリモートコントロール送信器の各操作キー２Ａの機能等を示す各種表示（図示せず）が印刷されている。
【０００７】
このように構成されたリモートコントロール送信器は一般的な電子機器の遠隔操作に広く用いられているものであって、その動作は、電子機器の電源の接断、モードの変更など操作の内容に対応したキー２Ａを表示シート８の表示に従って押圧して、信号を発信させて電子機器を操作するものであり、詳しい説明は省略する。
【０００８】
【発明が解決しようとする課題】
しかしながら上記従来のリモートコントロール送信器では、各キー２Ａの機能等を示す各種表示を印刷した表示シート８を上ケース４の上面に貼り付ける構成であるため、表示シート８の製作コストおよびこれを貼り付ける費用が必要であり、しかも表示シート８はリモートコントロール送信器の操作面にあって、外観品位を保つために傷や汚れなどが付かないようにすることが必要であると共に、正確な位置に強固に貼り付ける必要があり、表示シート８は製作中の取扱いや貼り付けに手間のかかるものであった。
【０００９】
また、上ケース４にはキートップ２Ｂを通すための複数のキー孔４Ａが設けられ、その周囲下部には板状のリブ４Ｂを有しているため、上ケース４を製作する成形金型が複雑で高価なものであると共に、キー数やキー配列の変更などに対する対応も困難であった。
【００１０】
本発明はこのような従来の課題を解決するものであり、上ケースを二つに分割してその一方を表示シートと一体化することによって、総合的に製作コストを安価にすると共に、上ケースを製作する金型が安価で、キー数やキー配列の変更等も容易なリモートコントロール送信器を提供することを目的とする。
【００１１】
【課題を解決するための手段】
上記課題を解決するために本発明のリモートコントロール送信器は、上ケースをキートップを通すキー孔を有するパネル部と周囲の枠体部分に分割し、各キーの機能等を示す表示をパネル部上部に直接印刷するものである。
【００１２】
これにより、各キーの機能等の表示部を含めた上ケース部分の総合的なコストを安価にでき、正確な位置に剥がれ難い表示をすることができると共に、キー数やキー配列などの変更に対しても、パネル部のみの金型変更で容易に対応できるリモートコントロール送信器を実現することができる。
【００１３】
【発明の実施の形態】
本発明の請求項１に記載の発明は、複数の操作スイッチ用の固定接点を上面に有すると共に、信号発生用の回路部および電池接続用の電極部を備えた硬質の絶縁材料製の配線基板と、この配線基板上に重ねて配され、上記複数の固定接点に対応した位置に操作スイッチ用のキートップが上方に突出して設けられ、その下方が薄肉のドーム部で平板部に繋がっていると共に、ドーム部の内側天面に上記固定接点に対向した可動接点を有する弾性絶縁材料製の弾性接点体と、上記配線基板を下方から支持包囲し、下面に蓋板付きの電池収容部を備えた樹脂製の下ケースと、上記弾性接点体の上部に重ねて配され、上記操作スイッチ用のキートップを通す複数個のキー孔を有すると共に、上面に各キーの機能等を印刷表示した平板状で硬質の樹脂板あるいは金属板製のパネル部と、このパネル部の外周を上方から押さえ付ける枠体部および周囲の側壁部から形成され、上記下ケースとネジ止めされることによって上記の各構成部材を収容固定する樹脂製の上ケースからなり、上記弾性接点体を高分子材料にて形成し、上記キートップ下方のドーム部周囲の上記平板部をドーム部の高さよりも厚肉にしてその上面を上記パネル部の下面に当接させ、上記パネル部と上記配線基板とによって挟持させると共に、上記キートップ下方のドーム部が上記平板部上面より沈んだ位置に繋がるように配設したリモートコントロール送信器としたものであり、各キーの機能等の表示部を含めた上ケース部分の総合的な製造コストを安価にすることができ、正確な位置に剥がれ難い表示をすることができると共に、キー数やキー配列などの変更に対してもパネル部のみの金型変更で容易に対応できるリモートコントロール送信器を実現することができるという作用を有する。
さらに、パネル部のキー孔の周囲下部に板状のリブ等を設けなくても、弾性接点体の各キートップ下方のドーム部の周囲の厚肉の平板部の上下面を平板状のパネル部と平板状の配線基板とによって、挟持することができるので、キートップを押圧してキーを動作させる時、平板部の撓みなどの変形がなくキーのグラツキを抑えて安定したスイッチ動作をさせることができるという作用を有する。
【００１４】
請求項２に記載の発明は、請求項１記載の発明において、下ケースの底面内側に配線基板の下面を支持する複数の支持ボスを設けたものであり、キートップを押圧してリモートコントロール送信器を操作する際に、配線基板が下方に撓むことを防いで、キートップ下部の可動接点と配線基板上の固定接点が所定の接触圧力で確実に接触してスイッチの適切な動作を行わせることができるという作用を有する。
【００１５】
請求項３に記載の発明は、請求項１または２記載の発明において、上ケースの周囲の側壁部の下端外周の段部に下ケースの外周全体の側壁の上端部が外方から係合して、上、下ケースを組合わせ固定させるものであり、下ケースの周囲の側壁の内側に上ケースの周囲の側壁部の下端外周の段部がはまり込んで、全周に亘って係合するので、組合わせ後のケース全体としての外力に対する強度が高くて捩れなどの応力に対して上ケースと下ケースの間のズレなどを起こさず、外観上の見栄えもよいという作用を有する。
【００１６】
請求項４に記載の発明は、請求項１〜３のいずれか一つに記載の発明において、上ケースの側壁部の内側上方に複数のフック状の爪部を設けて、平板状のパネル部の周囲の端部を係合固定させるものであり、パネル部の反りによる変形や、上方からの押圧によるパネル部の沈み込みを抑えることができるので、弾性接点体に対する異常な押圧を防いでスイッチの誤動作を防止することができるという作用を有する。
【００１８】
請求項５に記載の発明は、請求項１〜４のいずれか一つに記載の発明において、パネル部の下面略中央に、弾性接点体と配線基板を貫通して下方へ突出して下ケースに当接するボスを設け、下ケース底面の対応する位置に設けたネジ孔を通してネジ止めするものであり、パネル部の反りによる変形および外方からの押圧による沈み込みを抑えるので、弾性接点体のキートップ下部の可動接点と配線基板の上の固定接点との間隔を一定に保ってスイッチの適切な動作を行わせることができるという作用を有する。
【００１９】
以下、本発明の実施の形態について、図面を用いて説明する。
なお、従来の技術の項で説明したものと同じ構成の部分については、同一の符号を付して詳細な説明を省略する。
【００２０】
（実施の形態１）
図１は本発明の第１の実施の形態によるリモートコントロール送信器の側面断面図、図２は図１のＨ−Ｈ線における断面図、図３は同分解斜視図であり、同図において１は硬質の絶縁材料からなる配線基板で、その上面に複数のキースイッチ用の固定接点１Ａと電子回路（図示せず）が配設され、下面には電池７を収容接続するための電極１Ｂと赤外線信号を発生するＬＥＤ１Ｃが装着されていること、および配線基板１の上に重ねて載せられた弾性絶縁材料からなる弾性接点体２に、図４の同要部であるスイッチ部拡大断面図に示すように、上記の複数の固定接点１Ａと対応した位置に操作キー２Ａ用のキートップ２Ｂが上方へ突出して設けられ、各キートップ２Ｂの下方は薄肉のドーム部２Ｃで平板部２Ｄに繋がっていると共に、その内側天面に各固定接点１Ａに対向した可動接点２Ｅが設けられていることは従来の技術の場合と同じである。
【００２１】
そして、これらの配線基板１および弾性接点体２を包囲収容する下ケース１３、パネル部１４および上ケース１５のうち、配線基板１の下方に配された樹脂製の下ケース１３が下面に電池７収容用の蓋板３Ｄ付きの開口部１３Ａと両端のネジ孔１３Ｂを有すると共に、内底面に配設された複数のボス１３Ｃが配線基板１の下面を支持していることは従来の技術の場合と同様であるが、弾性接点体２の上部に重ねて配された樹脂製のパネル部１４は、上記複数の操作キー２Ａのキートップ２Ｂを通すための複数のキー孔１４Ａを有する平板状で、各キー孔１４Ａの周囲下部に板状のリブ１４Ｂが設けられて、弾性接点体２の各キートップ２Ｂ下方のドーム部２Ｃの平板部２Ｄを配線基板１に押し付けていると共に、その上面にはこのリモートコントロール送信器の各操作キー２Ａの機能などを示す各種表示（図示せず）が印刷表示されており、さらに、このパネル部１４の外周を枠体部１５Ａで上方から押さえ付けるように上ケース１５が配設されている。
【００２２】
この上ケース１５は、枠体部１５Ａの側部を含む下方全周に側壁部１５Ｂを有して、その下端は段部１５Ｃとなって上記下ケース１３の側壁部１３Ｄの上端部１３Ｅに当接しており、その当接部は上ケース１５の側壁部１５Ｂの下端の段部１５Ｃに下ケース１３の側壁部１３Ｄの上端部１３Ｅが外方から係合するように構成され、上ケース１５の両端の下方に設けられたネジ孔１５Ｄ付きの円柱形の締め付けボス１５Ｅに対し、下ケース１３の両端のネジ孔１３Ｂに通されたネジ６を締め付けることによって、上ケース１５と下ケース１３が強固に係合・固定されている。
【００２３】
また、上ケース１５の側壁部１５Ｂの内側上方に設けられたフック状の爪部１５Ｆが平板状のパネル部１４の周囲の切欠き部１４Ｃに係合して、パネル部１４の反りによる変形や、上方からの押圧による沈み込みを抑えている。
【００２４】
このように構成されたリモートコントロール送信器の動作は従来の技術の項で述べたものと同様に、一般的な電子機器の遠隔操作に広く用いられているものと同じであって、電子機器の電源の接断、モードの変更など操作の内容に対応した操作キー２Ａをパネル部１４上面の表示に従って押圧して、信号を発信させて電子機器を操作するものであり、詳しい説明は省略する。
【００２５】
以上のように本実施の形態によれば、各操作キー２Ａの機能などを表示したパネル部１４と上ケース１５からなる上ケース部分の総合的な製造コストを安価にすることができ、キー数やキー配列等の変更に対してもパネル部１４のみの金型変更で容易に対応することができると共に、キートップ２Ｂの押圧操作時にパネル部１４や配線基板１が下方に沈み込むことがなく、上ケース１５の変形もなくて、確実なスイッチ動作を行わせることができるリモートコントロール送信器を実現できるものである。
【００２６】
（実施の形態２）
図５は本発明の第２の実施の形態によるリモートコントロール送信器の側面断面図、図６は同パネル部の外観斜視図であり、上記の実施の形態１によるものに対して、弾性接点体２１およびパネル部２２の形状が異なっている。
【００２７】
すなわち、図７の同要部であるスイッチ部拡大断面図に示したように、弾性接点体２１の各操作キー２１Ａの間の平板部２１Ｂの厚みがキートップ２１Ｃ下方のドーム部２１Ｄの高さよりも厚肉に形成されて、ドーム部２１Ｄが平板部２１Ｂ上面より沈んだ位置に繋がっていると共に、上記弾性接点体２１の平板部２１Ｂの上面に当接するパネル部２２の下面には、各キー孔２２Ａの周囲の板状のリブ等がなく、パネル部２２全体として完全な平板状となっている。
【００２８】
したがって、このパネル部２２は硬質の樹脂板あるいは金属板等を打ち抜き加工して形成することができるものである。
【００２９】
そして、このように構成されたリモートコントロール送信器の動作は実施の形態１によるものと全く同じであるので説明を省略する。
【００３０】
以上のように本実施の形態によれば、実施の形態１の場合のように、パネル部２２のキー孔２２Ａの周囲下部に板状のリブ等を設けなくても、弾性接点体２１の各キートップ２１Ｃ下方のドーム部２１Ｄの周囲の厚肉の平板部２１Ｂの上下面を平板状のパネル部２２と平板状の配線基板１とによって挟持しているので、キートップ２１Ｃを押圧した時、平板部２１Ｂの撓みなどの変形がなく操作キー２１Ａのグラツキを押さえて安定したスイッチ動作をさせることができるものである。
【００３１】
（実施の形態３）
図８は本発明の第３の実施の形態によるリモートコントロール送信器の側面断面図、図９は同分解斜視図であり、上記の実施の形態１および２によるものに対して、パネル部３１、弾性接点体３２、配線基板３３および下ケース３４の形状が異なっている。
【００３２】
すなわち、樹脂で形成したパネル部３１の下面略中央に、下方へ突出して先端ネジ孔付きの円柱状の２本のボス３１Ａが設けられ、このボス３１Ａを弾性接点体３２および配線基板３３の対応する位置に設けられた２個のボス孔３２Ａ，３３Ａを貫通させて、下ケース３４底面の対応する位置に設けたネジ孔３４Ａを通してネジ６で締め付けられている。
【００３３】
以上のように本実施の形態によれば、パネル部３１の反りによる変形および外方からの押圧による沈み込みを抑えることができるので、弾性接点体３２のキートップ３２Ｂ下部の可動接点と配線基板３３上の固定接点との間隔を一定に保ってスイッチの適切な動作を行わせることができるものである。
【００３４】
【発明の効果】
以上のように本発明によれば、操作キーの機能等の表示部を含めた上ケース部分の総合的なコストが安価で、正確な位置に剥がれ難い表示をすることができると共に、キー数やキー配列などの変更に対しても、パネル部のみの金型変更で容易に対応できるリモートコントロール送信器を提供することができるという有利な効果が得られる。
【図面の簡単な説明】
【図１】本発明の第１の実施の形態によるリモートコントロール送信器の側面断面図
【図２】図１のＨ−Ｈ線における断面図
【図３】同分解斜視図
【図４】同要部であるスイッチ部拡大断面図
【図５】本発明の第２の実施の形態によるリモートコントロール送信器の側面断面図
【図６】同パネル部の外観斜視図
【図７】同要部であるスイッチ部拡大断面図
【図８】本発明の第３の実施の形態によるリモートコントロール送信器の側面断面図
【図９】同分解斜視図
【図１０】従来のリモートコントロール送信器の側面断面図
【図１１】同分解斜視図
【符号の説明】
１，３３  配線基板
１Ａ  固定接点
１Ｂ  電極
１Ｃ  ＬＥＤ
２，２１，３２  弾性接点体
２Ａ，２１Ａ  操作キー
２Ｂ，２１Ｃ  キートップ
２Ｃ，２１Ｄ  ドーム部
２Ｄ，２１Ｂ  平板部
２Ｅ，２１Ｅ  可動接点
１３，３４  下ケース
１３Ａ  開口部
１３Ｂ，１５Ｄ，３４Ａ  ネジ孔
１３Ｃ，１５Ｅ，３１Ａ  ボス
１３Ｄ，１５Ｂ  側壁部
１３Ｅ  上端部
１４，２２，３１  パネル部
１４Ａ，２２Ａ  キー孔
１４Ｂ  リブ
１４Ｃ  切欠き部
１５  上ケース
１５Ａ  枠体部
１５Ｃ  段部
１５Ｆ  爪部
３２Ａ，３３Ａ  ボス孔
【図１】
0004029459.tif 000002
【図２】
0004029459.tif 000003
【図３】
0004029459.tif 000004
【図４】
0004029459.tif 000005
【図５】
0004029459.tif 000006
【図６】
0004029459.tif 000007
【図７】
0004029459.tif 000008
【図８】
0004029459.tif 000009
【図９】
0004029459.tif 000010
【図１０】
0004029459.tif 000011
【図１１】
0004029459.tif 000012